(57)【要約】      （修正有）【課題】花筒は自在に出し入れできるとともに、水抜きも容易な、筒保持体を墓石にネジ係合して、機能的にして扱い易い墓石用花立てを提供する。【解決手段】墓石８に取り付けてあるネジ基盤９に係合する花立て１とし、底面にネジ突部５を設け、上部に保持穴２を設けた筒保持体６を形成し、その筒保持体６の保持穴２に容易に出し入れすることができる花筒７を組み合わせる墓石用の花立て１とする。【選択図】図３
0003134643.tif 000002
【実用新案登録請求の範囲】
【請求項１】
墓石に取り付けてあるネジ基盤に係合する花立てであって、底面にネジ突部を設け、上部に保持穴を設けた筒保持体を形成し、その筒保持体の保持穴に容易に出し入れすることができる花筒を組み合わせて成る構成を特徴とする墓石用花立て。
【請求項２】
前記する保持穴の底に、外部に通じる水抜き穴を設けて成る請求項１に記載する墓石用花立て。
【考案の詳細な説明】
【技術分野】
【０００１】  本考案は、墓石にネジ係合された花立てが清掃しやすく、且つ、雨水や枯れ葉や虫の死骸などが溜まることなく、数多くの墓石であっても維持管理の手間を大幅に軽減できる花立てに関する。
【背景技術】
【０００２】  従来より、数多くのお墓が並ぶ墓苑の維持管理はお寺や委託管理業者において行われ、その作業は墓苑の清掃を初め、それぞれのお墓の花立てに供えられている花に水をあげたり、枯れた花の処分や花立ての洗浄など行っている。【０００３】  その際、一般的な花立ては、墓石にあらかじめ取り付けられているネジ基盤に、底部にネジが設けられた花筒をネジ係合して着脱できるともに、防水キャップを組み合わせて雨水や落ち葉が入るのを防止できる花立てが多用されている。【０００４】  さらに、花立ての底部に穴を設け、その穴に一定時間経つと溶ける医療用カプセルで栓をし、墓参後の一定時間で溶けて自動的に水を排出できることで、腐敗による悪臭を防ぐ花立てがある。（例えば、特許文献１参照）
【特許文献１】実用新案登録第３０８６４４８号公報
【考案の開示】
【考案が解決しようとする課題】
【０００５】  前記する一般的な花立ては、墓石にネジ係合して取り付けられた花立てにキャップを取り付けているものである。使用する際は、キャップを取り外して任意の場所に置いてから、水と花を入れて供えるタイプであり、墓参終了後数日すると花も枯れるので、管理者は花を抜き取ってからネジを緩めて花立てを取り外して水を捨てるとともに洗浄し、再び墓石にネジ係合して取り付ける。さらに中に雨水や落ち葉が入ったり、腐敗した水から蚊が発生するのを防ぐため、防水キャップを取り付けている。【０００６】  管理者は以上のような手間や時間を掛けて管理しているが、花立てに残っている水を捨てるにも洗浄するにも、ネジ係合されて両側に二つある花立てを一々回して取り外し、且つ、再びネジ留めしなければならないため、墓石の数が多い墓苑となるとこれだけでも大変な時間と労力が必要であった。【０００７】  また、専用のキャップをするので雨水や落ち葉など入ることは無いが、花立てもキャップも合成樹脂製であるが、花立ては墓石にネジ係合しているので比較的丈夫であるが、キャップは暴風雨などの場合は吹き飛ばされたり、破損してしまうことも多いので、常に在庫の確認なども欠かせなないなど、管理する立場にある人にとっては何かと不便や欠点がある花立てであった。【０００８】  また、実用新案登録第３０８６４４８号公報による花立ては、花立ての底部に穴を設け、その穴に一定時間経つと溶ける医療用カプセルで栓をし、墓参後の一定時間で溶けて自動的に水を排出できることにより、溜まった水の腐敗による悪臭を防ぐ花立てであるが、まず、医療用のカプセルは胃液により溶ける性質のものであるため水では溶けないうえ、カプセルを一々穴に取り付けるのも手間が掛かり面倒であった。【０００９】  加えて、医療用のカプセルも数多く購入する費用も必要であるため、管理者にとっては余計な経費が必要になるなど、扱いにくく不便や欠点の多い花立てである。【００１０】  これら以外に、使用後に花立て本体を逆さにして雨水が入るのを防ぐタイプもあるが、これらは高価であることに加え、設置には専門家の工事が必要であるため、墓石の数が多い所では予想以上のコスト負担となるので容易には採用できないなど、いずれのタイプも現在ある墓石のネジを利用して使えないなどの不便や欠点がある。
【課題を解決するための手段】
【００１１】  本考案は、前記するような不便や欠点を解消するために、請求項１においては、外部底面にネジ突部を設け、上部に保持穴を設けた筒保持体を形成し、その筒保持体の保持穴に容易に出し入れすることができる花筒を組み合わせることで、使用する際は花筒を反転して後に、水と花を入れて供えられるものとする。【００１２】  請求項２においては、前記する保持穴の底に、外部に通じる水抜き穴を設けることで、保持穴に侵入した雨水を外部に排出できるものとする。
【考案の効果】
【００１３】  本考案による花立ては、墓石に取り付けられている既存のネジ基盤に筒保持体を取り付けられるとともに、その筒保持体の保持穴に出し入れ自在に花筒を入れる方式であるため、使用する際は花筒を反転してから水と花を容易に供えられる機能的な花立てである。【００１４】  また、参拝者の墓参後に花が枯れ始めたら、管理者は花を処分した後に花筒を取り出してから洗浄して逆さにして入れると、花筒は保持穴の蓋となって雨水の浸入や落ち葉が入るのを防ぎ、仮に雨水が隙間から浸入しても水抜き穴から排出して腐敗や蚊の発生を防げるシンプルにして効果的な花立てとなる。【００１５】  以上のように花筒のセットが簡単であるので慣れない墓参者でも容易であり、その後の清掃や点検を行う管理者の手間や労力も従来に比べ大幅に軽減できるとともに、蓋の機能を果たす花筒も保持穴に深く納められるので、暴風雨などや大雪の場合でも飛ばされたり破損する要因も少ないため、管理者にとっては扱い易く、且つ、維持経費が少ない花立てを提供することができる。
【考案を実施するための最良の形態】
【００１６】  本考案の花立てにおける実施形態を図１に示す分解斜視図と図２に示す筒保持体のＡ−Ａ線断面図、図３に示す組み合わせ例の断面図で説明する。【００１７】  本考案による花立て１は、従来、一般的に多用されている墓石に設けられた取り付けネジに着脱できるものとする。この花立て１は合成樹脂素材によるものとし、適度な深さと大きさの保持穴２の底部に外部に通じる水抜き穴３を設け、且つ、外側底面に設けた浅い空隙部４の中央にボルト状のネジ突部５を設けて成る筒保持体６を形成し、その筒保持体６の前記保持穴２に納まり、且つ、一定長突出する長さの花筒７を前記する保持穴２に組み合わせて成る花立て１を構成する。【００１８】  本実施形態による花立て１は、上部に花筒７が納まる保持穴２を設け、下部底面には墓石８のネジ基盤９に係合するボルト状のネジ突部５を有する筒保持体６を形成するので、そのまま従来からある墓石８のネジ基盤９に固定できるとともに、その筒保持体６の保持穴２には、別体形成した花筒７が出し入れ自在に納められるため、使用する時は、花筒７を反転してから水と花を入れると、図４に示すように花を供えられる。【００１９】  さらに、その後、管理者は枯れた花を処分するとともに花筒７を取り外して洗浄し、図５に示すように逆さにして保持穴２に納めると、雨水の浸入や落ち葉が入るのを防ぐ蓋となる。もし雨水が浸入した場合は水抜き穴３より排出できる。さらに、必要なら筒保持体６もネジ基盤９から取り外して洗浄することも可能である。【００２０】  本実施形態による花立て１は、大量生産するには合成樹脂素材で一体成型するのが好ましいが、錆び難いステンレス素材でもよいし、焼き物など他の素材でもよい。また花筒７及び保持穴２の平面形状は円形であるが、角形でも楕円でも他の形状でもよい。さらに筒保持体６には、墓石８側の雌ネジに合うようにボルト形のネジ突部５であるが、相互に反対のネジを採用してもよい。また、筒保持体６の底部に空隙部４を設けているが、空隙部４を形成しない底面に直接ネジ突部５を設けてもよく、いずれも特に限定されるものではない。
【図面の簡単な説明】
【００２１】
【図１】本考案の花立ての実施形態を示す分解斜視図である。
【図２】花立ての筒保持体を示すＡ−Ａ線断面図である。
【図３】花立ての組み合わせ状態を示す断面図である
【図４】花立てを墓石に取り付けて花を供えた状態を示す参考図である。
【図５】花立ての未使用時を示す参考図である。
【符号の説明】
【００２２】１  花立て
２  保持穴
３  水抜き穴
４  空隙部
５  ネジ突部
６  筒保持体
７  花筒
８  墓石
９  ネジ基盤
【図１】
0003134643.tif 000003
【図２】
0003134643.tif 000004
【図３】
0003134643.tif 000005
【図４】
0003134643.tif 000006
【図５】
0003134643.tif 000007